(57)【要約】      （修正有）【課題】地味な棺にきらびやかさと豪華さを持たせて参列者の目に付きやすくして派手ではないが明るい雰囲気を出すことができ、故人の親族や故人と縁の深い参列者が棺をとおして故人にメッセージを贈ることもできるようにして、これまでの棺とは趣の異なる斬新な棺を提供する。【解決手段】棺本体とその蓋を備えた棺において、棺本体、蓋、お別れ窓の扉の一又は二以上の所望箇所に人工ダイヤモンドを取り付けて装飾した。この場合、人工ダイヤモンドで文字、模様、図形等を表示することも、棺本体、蓋、お別れ窓の扉等に表示されている模様、図柄、刺繍等の装飾の一部又は全体に人工ダイヤモンドを取り付けたり、人工ダイヤモンドが取り付けられた装飾材をワッペンとして取り付けることもできるものとした。【選択図】図１
0003141310.tif 000002
【実用新案登録請求の範囲】
【請求項１】
棺本体（１）と棺本体（１）に被せる蓋（２）を備えた棺において、棺本体（１）、蓋（２）、お別れ窓の扉（３）のいずれか一又は二以上の所望箇所に人工ダイヤモンド（４）を取り付けたことを特徴とする装飾棺。
【請求項２】
棺本体（１）と棺本体（１）に被せる蓋（２）を備えた棺において、棺本体（１）、蓋（２）、お別れ窓の扉（３）のいずれか一又は二以上の所望箇所に人工ダイヤモンド（４）で文字、模様、図形等が表示されたことを特徴とする装飾棺。
【請求項３】
棺本体（１）と棺本体（１）に被せる蓋（２）を備えた棺において、棺本体（１）、蓋（２）、お別れ窓の扉（３）のいずれか一又は二以上の所望箇所に、模様、図柄といった装飾が施され、その装飾の一部又は全体に人工ダイヤモンド（４）が取り付けられたことを特徴とする装飾棺。
【請求項４】
棺本体（１）と棺本体（１）に被せる蓋（２）を備えた棺において、棺本体（１）、蓋（２）、お別れ窓の扉（３）のいずれか一又は二以上の所望箇所に、模様、図柄といった装飾が刺繍で施され、その装飾の一部又は全体に人工ダイヤモンド（４）が取り付けられたことを特徴とする装飾棺。
【請求項５】
棺本体（１）と棺本体（１）に被せる蓋（２）を備えた棺において、棺本体（１）、蓋（２）、お別れ窓の扉（３）のいずれか一又は二以上の所望箇所に、装飾が施され人工ダイヤモンド（４）が取り付けられた装飾材（５）が取り付けられ又は取り付け可能としたことを特徴とする装飾棺。
【考案の詳細な説明】
【技術分野】
【０００１】
本考案は大人用、子供用、ペット用といった各種用途の棺、木棺、木棺の周囲に布が貼られた布棺、刺繍が施された刺繍棺、彫刻が施された彫刻棺といった各種装飾形態の装飾棺に関するものである。
【背景技術】
【０００２】
棺は葬儀の性格上、地味なものが多かったが、近年は棺にデザインが施されたものや彫刻を施したものなど装飾性に富んだものもある。これら装飾は悲しく暗いイメージの葬儀の印象に、華やかさと明るさをもたらすことから好まれている。
【考案の開示】
【考案が解決しようとする課題】
【０００３】
近年の棺は、図柄、刺繍などの装飾は施されているが、装飾自体が白・黒・灰色といった地味な色が多いことから、装飾されていても棺から離れている斎場の参列者からは依然として見にくく、暗いといった印象がある。立体模様の彫刻が施された棺であっても、遠くから見ると立体模様（凹凸）が見分けにくいという難点があった。
【０００４】
本考案の目的は、地味な棺にきらびやかさと豪華さを持たせて参列者の目に付きやすくして派手ではないが明るい雰囲気を出すことができ、故人の親族や故人と縁の深い参列者が棺をとおして故人にメッセージを贈ることもできるようにして、これまでの棺とは趣の異なる斬新な棺を提供するものである。
【課題を解決するための手段】
【０００５】
前記目的達成のため、本考案に係る棺は、請求項１記載のように、棺本体１と棺本体１に被せる蓋２を備えた棺において、棺本体１、蓋２、お別れ窓の扉３のいずれか一又は二以上の所望箇所に人工ダイヤモンド４を取り付けて装飾したものである。この場合、請求項２のように人工ダイヤモンド４で文字、模様、図形等を表示することも、請求項３又は請求項４のように棺本体１、蓋２、お別れ窓の扉３等に表示されている模様、図柄、刺繍等の装飾の一部又は全体に人工ダイヤモンド４を取り付けたり、請求項５のように人工ダイヤモンド４が取り付けられた装飾材５をワッペンとして取り付けたりすることもできる。
【考案の効果】
【０００６】
本考案の棺には次のような効果がある。
（１）棺本体、蓋、お別れ窓の扉などに人工ダイヤモンドを取り付けてあるため、人工ダイヤモンドの輝きで棺がきらびやかになり、参列者の目にとまり易く、参列者が棺の中の故人に思いを馳せ易くなる。
（２）棺に貼り付ける人工ダイヤモンドで文字を表示することができるため、親族をはじめとする参列者が棺に故人に対するメッセージを表示して贈ることができる。
（３）親族をはじめとする参列者各人が棺に人工ダイヤモンドを貼り付けて故人を偲ぶことができるため、通常の葬儀とは異なるオリジナリティのある葬儀を演出することができる。
（４）人工ダイヤモンドは燃焼により炭化するため、人工ダイヤモンドを貼り付けた棺を燃やしても有毒物質が発生せず、環境への悪影響がない。
【考案を実施するための最良の形態】
【０００７】
（実施形態１）
以下、本考案に係る棺について、図１を参照しながら詳細に説明する。本考案の棺は木棺、布棺、彫刻棺といったどの様なものであってもよく、又、子供用、大人用、ペット用といった如何なる用途のものであってもよいが、本考案の一例として図１に示すものは、棺本体１とそれに被せる蓋２の表面に花柄模様の布が貼られている布棺である。
【０００８】
図１の棺１は布棺であり、棺本体１とそれに被せる蓋２の表面に装飾が施された布が貼られている。装飾は花模様、幾何学模様等をはじめとする各種模様、故人の好みであった街並み、風景、愛用品、趣味の品等の絵画や写真等であってもよい。装飾は印刷、刺繍、彫刻などであってもよい。これら装飾はワッペンに表示しておき、そのワッペンを棺本体１、蓋２、お別れ窓の扉３等に貼ることもできる。
【０００９】
図１の装飾は花模様であり、花模様の中心部に人工ダイヤモンド４が取り付けられている。人工ダイヤモンド４には市販品を使用することができ、例えば、スワロフスキー社製のラインストーン（商品名）が適する。貼り付ける人工ダイヤモンドの数、大きさ（サイズ）、色等は任意に選択することができる。人工ダイヤモンド４の裏面には粘着材（接着剤）が塗布されており、その裏側に剥離紙が貼られている。この人工ダイヤモンド４の場合は、剥離紙を剥離して前記粘着材を棺本体１や蓋２等に貼り付けることができる。人工ダイヤモンド４は両面テープなどを用いて棺本体１や蓋２に取り付けることもできる。
【００１０】
人工ダイヤモンド４は花模様の中心部以外の箇所、例えば、花弁や葉の輪郭部分に取り付けることもできる。この場合、部分的に取り付けることも、連続的に貼り付けることも、模様全体に取り付けることもできる。人工ダイヤモンドはデザインされた模様等に取り付けるばかりでなく、任意の文字を表現して取り付けることもできる。図１では複数個の人工ダイヤモンドを並べて「天国で幸せに」という文字を表現してある。表現する文字は任意のものとすることができ、故人の趣向や親族その他の参列者の故人に対する思いを表すメッセージとすることもできる。
【００１１】
（その他の実施形態）
図１では棺本体１、蓋２の布に直接模様が施されていたが、人工ダイヤモンド４が一部又は全体に取り付けられた装飾材５を用意し、その装飾材５に人工ダイヤモンドを貼っておき、その装飾材５を棺本体１、蓋２等に貼り付けることもできる。装飾材５としては例えば図２のような花形の一部に人工ダイヤモンドを取り付けたワッペンなどがある。参列者は棺の中に生花を入れる代わりにこのワッペンを棺本体１、蓋２、扉３等の表面に貼り付けることもできる。ワッペンは裏面に粘着材が塗布され、その裏側に剥離剤が貼られており、剥離紙を剥離して棺本体１、蓋２等に貼り付けることができるようにすることができる。ワッペンは予め棺本体１、蓋２、扉３等に取り付けておくこともできる。ワッペンの形状、サイズ、柄、模様等は所望のものにすることができる。
【図面の簡単な説明】
【００１２】
【図１】本発明の装飾棺の斜視図。
【図２】本発明の装飾棺に貼り付ける装飾材（ワッペン）の一例を示す正面図。
【符号の説明】
【００１３】
１  棺本体
２  蓋
３  お別れ窓の扉
４  人工ダイヤモンド
５  ワッペン等の装飾材
【図１】
0003141310.tif 000003
【図２】
0003141310.tif 000004